(57)【要約】【課題】主要空調機器が設けられる第１空間に隣り合う第２空間を、省エネルギーで効率的に空調できる屋内空調システムを提供する。【解決手段】家屋の第１空間に設けられ、第１空間を空調する主要空調機器と、仕切部を介して第１空間と隣り合う第２空間に設けられ、第２空間を空調する補助空調機器と、仕切部に設けられ、両空間の一方から他方に送風を行うファンを有するファンユニットと、各空間の温度を測定する温度センサと、各々の空間の測定温度と第２空間の設定温度とが所定の大小関係を満たす場合、第２空間の温度を設定温度となるようにファンの動作を制御するファン制御部と、ファンの動作により所定時間内に第２空間の温度が設定温度に到達可能か否かを判定する第１温度判定部と、第１温度判定部が到達不能と判定したとき、第２空間の温度と設定温度との差を小さくするように補助空調機器を動作させる補助空調制御部とを備える屋内空調システム。【選択図】図１
2017194242.tif 000002
【特許請求の範囲】
【請求項１】
家屋の第１空間に設けられ、前記第１空間を空調する主要空調機器と、
仕切部を介して前記第１空間と隣り合う第２空間に設けられ、前記第２空間を空調する補助空調機器と、
前記仕切部に設けられ、前記第１空間及び前記第２空間の一方から他方に送風を行うファンを有するファンユニットと、
前記第１空間と前記第２空間の各々の温度を測定する温度センサと、
前記第１空間及び前記第２空間の測定温度と前記第２空間の設定温度とが所定の大小関係を満たす場合、前記第２空間の温度を前記設定温度となるように前記ファンの動作を制御するファン制御部と、
前記ファンの動作により所定時間内に前記第２空間の温度が前記設定温度に到達可能か否かを判定する第１温度判定部と、
前記第１温度判定部が到達不能と判定したとき、前記第２空間の温度と前記設定温度との差を小さくするように前記補助空調機器を動作させる補助空調制御部とを備える屋内空調システム。
【請求項２】
前記ファン制御部の制御の開始時期を設定するタイマーを有する請求項１に記載の屋内空調システム。
【請求項３】
前記第１温度判定部が到達不能と判定したとき、前記補助空調制御部により前記補助空調機器を動作させることなく、前記第２空間の温度と前記設定温度との差を小さくするように前記主要空調機器の設定を調整する統括制御部と、
前記主要空調機器の動作により前記所定時間内に前記第２空間の温度が前記設定温度に到達可能か否かを判定する第２温度判定部とを備え、
前記統括制御部は、前記第２温度判定部が到達不能と判定したとき、前記補助空調機器を動作させる請求項１又は請求項２に記載の屋内空調システム。
【請求項４】
前記第２空間の人の存在を検知する人感センサを有し、
前記ファン制御部は、前記人感センサの検知に基づいて前記ファンの制御を開始する請求項１から請求項３のいずれか１項に記載の屋内空調システム。
【請求項５】
前記第１空間から前記第２空間へ通ずるドアの開きを検知する開閉センサを有し、
前記ファン制御部は、前記開閉センサで前記ドアが開いていることを検知したとき、前記ファンを停止、又は前記ファンの回転数を前記ドアが閉まっているときの前記ファンの回転数に比較して低下させる請求項１から請求項４のいずれか１項に記載の屋内空調システム。
【請求項６】
前記ファンユニットは、前記仕切部の上部と下部の各々に設けられる複数であり、
前記ファン制御部は、
前記主要空調機器の暖房時、前記下部のファンにより前記第１空間から前記第２空間に送風させ、前記上部のファンにより前記第２空間から前記第１空間に送風させ、
前記主要空調機器の冷房時、前記上部のファンにより前記第１空間から前記第２空間に送風させ、前記下部のファンにより前記第２空間から前記第１空間に送風させる請求項１から請求項５のいずれか１項に記載の屋内空調システム。
【請求項７】
前記ファンユニットは、前記ファンを複数有し、
前記複数のファンのうち一部の前記ファンは、前記第１空間から前記第２空間に送風を行い、他部の前記ファンは、前記第２空間から前記第１空間に送風を行う請求項１から請求項６のいずれか１項に記載の屋内空調システム。
【請求項８】
前記ファンユニットの向きを反転させて前記ファンの送風方向を逆向きにする反転機構を備える請求項１から請求項６のいずれか１項に記載の屋内空調システム。
【発明の詳細な説明】
【技術分野】
【０００１】
本発明は、屋内空調システムに関する。
【背景技術】
【０００２】
屋内の空調は、一般的に、各部屋に設置されたエアーコンディショナー（以下、エアコンと言うことがある）を利用して部屋毎に行われる。しかし、各部屋にエアコンを設置すると各部屋分のエアコンの購入費用などがかかる。また、エアコンが頻繁にｏｎ／ｏｆｆされると省エネルギーの観点から非効率的である。
【０００３】
そこで、近年、各部屋にエアコンを設置して部屋毎に空調するのではなく、１台又は部屋数より少ない台数のエアコンを運転（連続運転）させて、その空気をエアコンが設置されていない部屋に送ることで、屋内全体を空調することが考えられている。一般的にはリビングルーム（居間）にエアコンを設置し、リビングルームの空気を利用して屋内全体を空調することが検討されている。
【０００４】
例えば、特許文献１では、冷暖房器具である空調機（主要空調機器）が設けられた居間（第１空間）と居間に隣り合う寝室（第２空間）との間を仕切る側壁に居間の空気を寝室へ送風する室間ファンが設けられている。空調機により居間の室内温度を所定値となるように運転していて、室間ファンにより居間の空気を寝室に送風することで、寝室に空調機を設置しなくても居間の空気で寝室を空調している。
【先行技術文献】
【特許文献】
【０００５】
【特許文献１】特開２００５−０９０８２４号公報
【発明の概要】
【発明が解決しようとする課題】
【０００６】
主要空調機器が設けられる第１空間に隣り合う第２空間の空調を、省エネルギーで効率的に行うことが望まれている。第１空間と第２空間との温度差が大きい場合などでは、第１空間の空気が第２空間に送られて第２空間の温度が所望の温度に達するまでに時間がかかる虞がある。特に、寒冷地や温暖地などでは、第１空間と第２空間との温度差が大きくなり易い上に温度差が生じ易くて温度差が縮まり難いため、第１空間の空気が第２空間に送られても第２空間の温度を所望の温度に素早くかつ細かく調整することが難しい。
【０００７】
そこで、主要空調機器が設けられる第１空間に隣り合う第２空間を、省エネルギーで効率的に空調できる屋内空調システムを提供することを目的とする。
【課題を解決するための手段】
【０００８】
本開示に係る屋内空調システムは、
家屋の第１空間に設けられ、前記第１空間を空調する主要空調機器と、
仕切部を介して前記第１空間と隣り合う第２空間に設けられ、前記第２空間を空調する補助空調機器と、
前記仕切部に設けられ、前記第１空間及び前記第２空間の一方から他方に送風を行うファンを有するファンユニットと、
前記第１空間と前記第２空間の各々の温度を測定する温度センサと、
前記第１空間及び前記第２空間の測定温度と前記第２空間の設定温度とが所定の大小関係を満たす場合、前記第２空間の温度を前記設定温度となるように前記ファンの動作を制御するファン制御部と、
前記ファンの動作により所定時間内に前記第２空間の温度が前記設定温度に到達可能か否かを判定する第１温度判定部と、
前記第１温度判定部が到達不能と判定したとき、前記第２空間の温度と前記設定温度との差を小さくするように前記補助空調機器を動作させる補助空調制御部とを備える。
【発明の効果】
【０００９】
上記屋内空調システムは、主要空調機器が設けられる第１空間に隣り合う第２空間を、省エネルギーで効率的に空調できる。
【図面の簡単な説明】
【００１０】
【図１】実施形態１に係る屋内空調システムの一例とその屋内空調システムが設けられる家屋の一例とを示す概略構成図である。
【図２】実施形態１に係る屋内空調システムに備わるファンユニットの概略を示す斜視図である。
【図３】実施形態１に係る屋内空調システムの他の例を示す概略構成図である。
【図４】実施形態１に係る屋内空調システムに備わるファンユニットの反転機構の概略を示す斜視図である。
【図５】実施形態１に係る屋内空調システムが設けられる家屋の他の例を示す概略構成図である。
【図６】実施形態１に係る屋内空調システムにおける第２空間の空調の制御手順Ｉを示すフローチャートである。
【図７】実施形態１に係る屋内空調システムにおける第２空間の空調の制御手順ＩＩを示すフローチャートである。
【図８】実施形態２に係る屋内空調システムを示す概略構成図である。
【図９】実施形態２に係る屋内空調システムにおける第２空間の空調の制御手順を示すフローチャートである。
【図１０】実施形態３に係る屋内空調システムを示す概略構成図である。
【図１１】実施形態３に係る屋内空調システムにおける第２空間の空調の制御手順を示すフローチャートである。
【図１２】図１１のステップＳ４４の制御手順を示すフローチャートである。
【図１３】付記１に係る屋内空調システムにおける第２空間の空調の制御手順を示すフローチャートである。
【図１４】付記２に係る屋内空調システムにおける第２空間の空調の制御手順を示すフローチャートである。
【図１５】図１４のステップＳ６４の制御手順を示すフローチャートである。
【発明を実施するための形態】
【００１１】
《本発明の実施形態の説明》
最初に本発明の実施態様の内容を列記して説明する。
【００１２】
（１）本発明の一態様に係る屋内空調システムは、
家屋の第１空間に設けられ、前記第１空間を空調する主要空調機器と、
仕切部を介して前記第１空間と隣り合う第２空間に設けられ、前記第２空間を空調する補助空調機器と、
前記仕切部に設けられ、前記第１空間及び前記第２空間の一方から他方に送風を行うファンを有するファンユニットと、
前記第１空間と前記第２空間の各々の温度を測定する温度センサと、
前記第１空間及び前記第２空間の測定温度と前記第２空間の設定温度とが所定の大小関係を満たす場合、前記第２空間の温度を前記設定温度となるように前記ファンの動作を制御するファン制御部と、
前記ファンの動作により所定時間内に前記第２空間の温度が前記設定温度に到達可能か否かを判定する第１温度判定部と、
前記第１温度判定部が到達不能と判定したとき、前記第２空間の温度と前記設定温度との差を小さくするように前記補助空調機器を動作させる補助空調制御部とを備える。
【００１３】
上記の構成によれば、ファンにより主要空調機器が設けられる第１空間の空気を第２空間の空調に利用できる。その上、ファンによる第１空間の空気の利用のみでは第２空間の空調に時間がかかるなどの特定の場合には、第１空間の空気の利用に加えて補助空調制御部による補助空調機器の動作で第２空間を空調できる。それにより、第２空間の温度を所望の温度に素早くかつ細かく調整できるため、家屋の建てられる環境が寒冷地や温暖地などであっても第２空間を空調できる。そして、補助空調機器の使用を特定の場合に制約していることで、電力消費を少なくし易い。従って、省エネルギーで効率的に第２空間を空調できる。
【００１４】
（２）上記屋内空調システムの一形態として、前記ファン制御部の制御の開始時期を設定するタイマーを有することが挙げられる。
【００１５】
上記の構成によれば、第２空間を効率的に空調し易い。タイマーを有することで、所望の時間にファンの動作と停止とを行えるため、第２空間の利用状況に応じてファンの動作と停止とを細かく制御できて、ファン及び主要空調機器の電力消費を抑制できるからである。
【００１６】
（３）上記屋内空調システムの一形態として、以下の形態が挙げられる。
前記第１温度判定部が到達不能と判定したとき、前記補助空調制御部により前記補助空調機器を動作させることなく、前記第２空間の温度と前記設定温度との差を小さくするように前記主要空調機器の設定を調整する統括制御部と、
前記主要空調機器の動作により前記所定時間内に前記第２空間の温度が前記設定温度に到達可能か否かを判定する第２温度判定部とを備え、
前記統括制御部は、前記第２温度判定部が到達不能と判定したとき、前記補助空調機器を動作させる。
【００１７】
上記の構成によれば、ファンによる第１空間の空気の利用のみでは第２空間の空調に時間がかかるなどの特定の場合に、補助空調機器を動作させる場合に比較して、第２空間を省エネルギーで効率的に空調できる。上記特定の場合に、統括制御部により補助空調機器を動作させる前に主要空調機器の設定を調整して補助空調機器の使用を更に制約することで、電力消費を少なくし易いからである。
【００１８】
（４）上記屋内空調システムの一形態として、前記第２空間の人の存在を検知する人感センサを有し、前記ファン制御部は、前記人感センサの検知に基づいて前記ファンの制御を開始することが挙げられる。
【００１９】
上記の構成によれば、第２空間を効率的に空調し易い。人感センサを有することで、第２空間に人が居るときにファンを動作させて、第２空間に人が居ないときにファンを停止するように、第２空間の人の有無に応じてファンの動作と停止とを細かく制御できて、ファン及び主要空調機器の電力消費を抑制できるからである。
【００２０】
（５）上記屋内空調システムの一形態として、以下の形態が挙げられる。
前記第１空間から前記第２空間へ通ずるドアの開きを検知する開閉センサを有し、
前記ファン制御部は、前記開閉センサで前記ドアが開いていることを検知したとき、前記ファンを停止、又は前記ファンの回転数を前記ドアが閉まっているときの前記ファンの回転数に比較して低下させる。
【００２１】
上記の構成によれば、第２空間を効率的に空調し易い。開閉センサを有することで、ドアの開閉状況に応じてファンの動作と停止とを細かく制御できて、ファン及び主要空調機器の電力消費を抑制できるからである。ドアが閉まっている場合には、第１空間から第２空間への空気の流通がドアで遮られるため、ファンを動作させることで第１空間の空気を第２空間の空調に利用できて第２空間を空調し易い。一方、ドアが開いている場合には、第１空間と第２空間とが通じているため、ファンを停止又はファンの回転数を少なくしても、第１空間の空気を第２空間へ流通できて第２空間を空調し易い。
【００２２】
（６）上記屋内空調システムの一形態として、以下の形態が挙げられる。
前記ファンユニットは、前記仕切部の上部と下部の各々に設けられる複数であり、
前記ファン制御部は、
前記主要空調機器の暖房時、前記下部のファンにより前記第１空間から前記第２空間に送風させ、前記上部のファンにより前記第２空間から前記第１空間に送風させ、
前記主要空調機器の冷房時、前記上部のファンにより前記第１空間から前記第２空間に送風させ、前記下部のファンにより前記第２空間から前記第１空間に送風させる。
【００２３】
上記の構成によれば、第１空間と第２空間の空気を素早く循環させられるため、第２空間を効率よく空調し易い。熱気は冷気に比べて軽いため上部に移動し、冷気は熱気に比べて重いため下部に移動する。そのため、主要空調機器から送風される温風を下部のファンにより第１空間から第２空間に送風させることで、第２空間では空気が下部から上部へ移動し易く、第２空間の空気を上部のファンにより第２空間から第１空間に送風させることで、空気を循環させ易い。一方、主要空調機器から送風される冷気を上部のファンにより第１空間から第２空間に送風させることで、第２空間では空気が上部から下部へ移動し易く、第２空間の空気を下部のファンにより第２空間から第１空間に送風させることで、空気を循環させ易い。
【００２４】
（７）上記屋内空調システムの一形態として、前記ファンユニットは、前記ファンを複数有し、前記複数のファンのうち一部の前記ファンは、前記第１空間から前記第２空間に送風を行い、他部の前記ファンは、前記第２空間から前記第１空間に送風を行うことが挙げられる。
【００２５】
上記の構成によれば、一部のファンと他部のファンとを使い分けることで、第１空間と第２空間との間の空気の流れを変えられる。そのため、ファンの送風方向を逆向きにして空気の流れを変えるために、ファンユニットを取り外して付け直したりする必要がない。
【００２６】
（８）上記屋内空調システムの一形態として、前記ファンユニットの向きを反転させて前記ファンの送風方向を逆向きにする反転機構を備えることが挙げられる。
【００２７】
上記の構成によれば、反転機構によりファンの送風方向を変えることで、第１空間と第２空間との間の空気の流れを変えられる。そのため、ファンの送風方向を逆向きにするために、ファンユニットを取り外して付け直したりする必要がない。
【００２８】
《本発明の実施形態の詳細》
本発明に係る屋内空調システムの実施形態の詳細を、以下に図面を参照しつつ説明する。まず、屋内空調システムによる空調対象である家屋の概要を説明し、その後、屋内空調システム、その屋内空調システムによる空調制御手順を順に説明する。図中の同一符号は同一名称物を示す。
【００２９】
〔家屋〕
家屋１０は、人が居住する建物であり、後述する各実施形態の屋内空調システムが設けられる（図１）。家屋１０は、第１空間１１と第２空間１２と仕切部１３とを備える。
【００３０】
［第１空間・第２空間・仕切部］
第１空間１１と第２空間１２とは、仕切部１３を介して互いに隣り合う空間である。第１空間１１は、主要空調機器２１が設けられ、第２空間１２は、補助空調機器２２が設けられ、仕切部１３は、ファンユニット３が設けられる（いずれも後述）。第１空間１１と第２空間１２とはそれぞれ、代表的には、同一階の隣り合う部屋で構成される（図１）。この場合、仕切部１３は、両部屋の共通の壁で構成される。
【００３１】
その他、第１空間１１と第２空間１２とは、複数階建ての家屋１０の場合、上下の異なる階（例えば、１階と２階や、２階と３階など）で構成してもよい。家屋１０が例えば２階建ての場合、第１空間１１と第２空間１２と仕切部１３とは、例えば、以下の（１）の組み合わせが挙げられる（図５）。
（１）第１空間１１：１階の部屋と、１階と２階とを繋ぐ階段と、２階の廊下
第２空間１２：２階の部屋
仕切部１３：２階の壁（２階の廊下と２階の部屋との間）
上記（１）の組み合わせは、例えば、１階の部屋内に上記階段が設けられ、その階段が２階の廊下に一続きになっていて上記階段と２階の廊下との間にドアなど隔てるものがなく、２階の廊下と２階の部屋とは壁で仕切られている場合などが挙げられる。この組み合わせの場合、仕切部１３は、２階の廊下と２階の部屋との間の壁と、１階の天井（２階の床）とで構成されていてもよい。即ち、後述のファンユニット３は、２階の壁と１階の天井（２階の床）との両方に設けられていてもよい。また、図５に示すように、２階の廊下と２階の壁で仕切られた部屋が複数ある場合、第２空間１２は複数（仕切部１３も複数）あってもよい。
【００３２】
仕切部１３には、仕切部１３が部屋の壁で構成される場合、開口部（図示略）とこの開口部を開閉するドア１４とが設けられている場合がある（図１、図５）。ドア１４は、開口部を開放しているとき、第１空間１１と第２空間１２との間で人の往来や空気の流通を可能にし、開口部を閉鎖しているとき、人の往来や空気の流通を遮る。ドア１４には、空気を通して第１空間１１と第２空間１２との間で空気を入れ替えるための孔で構成される換気口１５が設けられていてもよい。この換気口１５は、ドア１４ではなく仕切部１３を構成する壁に設けられていてもよい。
【００３３】
〔実施形態１〕
［屋内空調システム］
図１〜図５を参照して、実施形態１に係る屋内空調システム１Ａを説明する。この屋内空調システム１Ａは、上述の家屋１０などの屋内を空調する。屋内空調システム１Ａは、第１空間１１を空調する主要空調機器２１と、第２空間１２を空調する補助空調機器２２と、第１空間１１及び第２空間１２の一方から他方に送風を行うファン３０を有するファンユニット３とを備える。ファン３０は、第１空間１１の温度Ｔ１と第２空間１２の温度Ｔ２と第２空間１２の設定温度Ｔｓ２とが所定の大小関係を満たすときにファン制御部５２により動作するように制御される。各々の部屋の温度Ｔ１，Ｔ２は、温度センサ４０により測定される。屋内空調システム１Ａの特徴の一つは、第２空間１２が特定条件下であるか否かを判定する第１温度判定部５３と、特定条件下のとき補助空調機器２２を動作させる補助空調制御部５４とを備える点にある。以下、詳細を説明する。図１〜図５では空気の流れを点線矢印と破線矢印で模式的に示している。
【００３４】
（主要空調機器）
主要空調機器２１は、温度を調整した風を送ることで家屋１０の第１空間１１を空調する（図１，図３，図５）。主要空調機器２１は、第１空間１１に設けられる。主要空調機器２１の空調能力は、第１空間１１に加えて第１空間１１に隣り合う空間（第２空間１２）を空調できる程度が好ましく、特に、家屋１０全体を空調できる程度が好ましい。主要空調機器２１は、家屋１０が建てられる環境によるが、例えば寒冷地や温暖地などでは基本的に２４時間動作させたままとすることが挙げられる。
【００３５】
主要空調機器２１の機能は、暖房及び冷房の少なくとも一方が挙げられる。主要空調機器２１の機能は、家屋１０が建てられる環境によって、暖房及び冷房の両方を有することが好ましい場合と、暖房と冷房のいずれか一方を有していればよい場合とが挙げられる。例えば、１年間に暖房と冷房との両方を使用する環境下では、主要空調機器２１は冷暖房機能を有することが好ましい。一方、１年間に冷房せず暖房のみ行う環境下では、主要空調機器２１は冷房機能を有することなく暖房機能を有していればよい。他方、１年間に暖房せず冷房のみ行う環境下では、主要空調機器２１は暖房機能を有することなく冷房機能を有していればよい。
【００３６】
主要空調機器２１には、家屋１０が建てられる環境に応じて、例えば、冷暖房エアーコンディショナー（以下、エアコンと言うことがある）、暖房専用エアコン、冷房専用エアコンなどを利用できる。その他、暖房専用機として、ＦＦ式（Ｆｏｒｃｅｄ  ｄｒａｕｇｈｔ  ｂａｌａｎｃｅｄ  Ｆｌｕｅ  ｔｙｐｅ）石油ストーブや大型の電気式暖房器などを利用することもできる。
【００３７】
（補助空調機器）
補助空調機器２２は、第２空間１２を空調する（図１，図３，図５）。補助空調機器２２は、第２空間１２に設けられる。補助空調機器２２の空調能力は、第２空間１２を空調できる程度、或いはそれよりも小さくてもよい。補助空調機器２２は、主要空調機器２１が有する機能と同じ機能を有することが挙げられる。即ち、主要空調機器２１が冷暖房機能を有する場合、補助空調機器２２は冷暖房機能を有することが挙げられ、主要空調機器２１が暖房機能と冷房機能の一方を有し他方を有しない場合、補助空調機器２２は暖房機能と冷房機能の一方を有し他方を有しないことが挙げられる。なお、主要空調機器２１が冷暖房機能を有する場合、補助空調機器２２は、冷暖房機能を有するものを利用できることは勿論、暖房機能又は冷房機能の一方を有するものを利用することもできる。補助空調機器２２には、冷暖房エアコン、暖房専用エアコン、冷房専用エアコンなどを利用できる。その他、補助空調機器２２には、暖房専用の場合、輻射熱で暖房する電気ヒータなどが利用できる。
【００３８】
（ファンユニット）
ファンユニット３は、仕切部１３に設けられて、第１空間１１及び第２空間１２の一方から他方に送風を行うファン３０を有する（図１〜図５）。ファンユニット３は、更に、ファン３０を回転させるモーター（図示略）と、ファン３０及びモーターを支持すると共に仕切部１３の開口部が形成された枠部１３ｆに嵌め込んで仕切部１３に固定する支持部材３１とを備える（図２など）。モーターは、例えば、交流モーターを用いることができる。交流モーターは、インバータにより周波数を変えることで、交流モーターの回転数を可変にできる。即ち、交流モーターを用いれば、交流モーターの回転数を変えることでファンの回転数を可変にできる。なお、モーターには直流モーターを用いることもでき、この場合、駆動電圧を変化させることで、ファンの回転数を可変にできる。
【００３９】
ファン３０の数は、適宜選択でき、１つでもよいし複数でもよい。ファン３０の数が１つとは、ファンユニット３の数も１つである。ファン３０の数が複数とは、ファンユニット３の数が１つで、ファンユニット３に備わるファン３０の数が複数の場合と、ファンユニット３の数が複数で、各ファンユニット３に備わるファン３０の数が１つ以上の場合とがある。ファンユニット３の数を複数とする場合、各ファンユニット３に備わるファン３０の数は同じでも異なっていてもよい。以下に、ファンユニット３とファン３０の組み合わせを説明する。各項目「〈ファンユニットＸ、ファンＹ〉」は、屋内空調システム１Ａに備わるファンユニット３の合計数がＸ、個々のファンユニット３に備わるファン３０の数がＹであることを示す。
【００４０】
〈ファンユニット１つ、ファン１つ〉
ファンユニット３が１つでファン３０の数が１つであり、かつドア１４に換気口１５が形成されている場合、ファン３０の送風方向は、第１空間１１から第２空間１２に向かう方向、第２空間１２から第１空間１１に向かう方向のどちらの方向とすることもできる。
【００４１】
ファン３０の送風方向が第２空間１２から第１空間１１に向かう方向の場合、図１の破線矢印で示すように、主要空調機器２１の風及び第１空間１１の空気は換気口１５により第２空間１２に送られ、第２空間１２の空気はファン３０により第１空間１１に送られる。一方、ファン３０の送風方向が第１空間１１から第２空間１２に向かう方向の場合、図１の点線矢印で示すように、主要空調機器２１の風及び第１空間１１の空気はファン３０により第２空間１２に送られ、第２空間１２の空気はその送風により換気口１５を通って第１空間１１に送れられる。このように、主要空調機器２１の風及び各空間１１，１２の空気が両空間１１，１２を循環することで、第２空間１２が空調される。
【００４２】
図１に示すように、ファンユニット３が仕切部１３の上部に設けられ、換気口１５が下部に設けている場合、ファン３０の送風方向は、主要空調機器２１の暖房時と冷房時とで変えることが好ましい。具体的には、主要空調機器２１の暖房時、ファン３０の送風方向は、第２空間１２から第１空間１１に向かう方向とすることが好ましく、主要空調機器２１の冷房時、ファン３０の送風方向は、第１空間１１から第２空間１２に向かう方向とすることが好ましい。そうすれば、第１空間１１と第２空間１２の空気を素早く循環させられるため、第２空間１２を効率よく空調し易い。
【００４３】
熱気は冷気に比べて軽いため上部に移動し、冷気は熱気に比べて重いため下部に移動する。そのため、主要空調機器２１から送風される温風を、図１の破線矢印で示すように下部の換気口１５を通って第２空間１２に流通させることで、第２空間１２では空気が下部から上部へ移動し易く、第２空間１２の空気を上部のファン３０により第２空間１２から第１空間１１に送風させることで、空気を循環させ易い。一方、主要空調機器２１から送風される冷気を、図１の点線矢印で示すように上部のファン３０により第１空間１１から第２空間１２に送風させることで、第２空間１２では空気が上部から下部へ移動し易く、第２空間１２の空気を下部の換気口１５から第１空間１１に流通させることで、空気を循環させ易い。
【００４４】
〈ファンユニット１つ、ファン複数〉
ファンユニット３が１つでファン３０の数が複数（図２では２つ）の場合もある。この場合、複数のファン３０の送風方向は同一方向としてもよいし、複数のファン３０のうち一部のファン３０の送風方向と他部のファン３０の送風方向とは互いに逆方向としてもよい。前者の場合、送風流量を多く確保することができる。後者の場合、図２のように、一部のファン３０の送付方向は、第１空間１１から第２空間１２に向かう方向とし、他部のファン３０の送風方向は、第２空間１２から第１空間１１に向かう方向とすることが挙げられる。この場合、ファン３０の送風方向を変えるために、ファンユニット３（ファン３０）を反転してその向きを変える必要がない。そのため、ファンユニット３を取り外して付け直す作業などを不要にできる。また、換気口１５（図１）がなくても、両空間１１，１２の空気を循環できる。
【００４５】
〈ファンユニット複数、ファン１つ以上〉
ファンユニット３の数が複数で各ファンユニット３に備わるファン３０の数が１つの場合、例えば図３に示すように、一部のファンユニット３の配置箇所は、仕切部１３（壁）における上部とし、他部のファンユニット３の配置箇所は、仕切部１３（壁）における下部とすることが挙げられる。図３では、ドア１４を省略している。この場合、上下のファンユニット３におけるファン３０の送風方向は、主要空調機器２１の暖房時と冷房時とで変えることが好ましい。
【００４６】
主要空調機器２１の暖房時には、同図の破線矢印で示すように、下部のファン３０の送風方向は第１空間１１から第２空間１２に向かう方向とし、上部のファン３０の送風方向は第２空間１２から第１空間１１に向かう方向とすることが好ましい。一方、主要空調機器２１の冷房時には、同図の点線矢印で示すように、上部のファン３０の送風方向は、第１空間１１から第２空間１２に向かう方向とし、下部のファン３０の送風方向は、第２空間１２から第１空間１１に向かう方向とすることが好ましい。そうすれば、第１空間１１と第２空間１２の空気を素早く循環させられるため、第２空間１２を効率よく空調し易い。このとき、上下の各ファンユニット３に備わるファン３０の数は、上述した図２のように複数としてもよい。そうすれば、仕切部１３の上部及び下部に設けた各ファンユニット３における一部のファン３０の送風方向を第１空間１１から第２空間１２に向かう方向とし、他部のファン３０を第２空間１２から第１空間１１に向かう方向とすることができる。
【００４７】
ファンユニット３は、ファンユニット３の向きを反転させてファン３０の送風方向を逆向きにする反転機構３２を備えていてもよい（図４）。そうすれば、ファン３０の送風方向を第１空間１１から第２空間１２に向かう方向と、第２空間１２から第１空間１１に向かう方向とを容易に切り替えられる。そのため、ファン３０の送風方向を変えるために、ファンユニット３（ファン３０）を反転してその向きを変えるためのファンユニット３の取り外し作業などを不要にできる。反転機構３２は、例えば、ファンユニット３の支持部材３１自体を反転自在に支持する軸部３２１と、軸部３２１を回転させる回転機構（図示略）とを備えることが挙げられる。軸部３２１は、支持部材３１と仕切部１３の枠部１３ｆとの間に介在されている。軸部３２１は、図４に示すように、支持部材３１の上下における左右方向の中心に設けてもよいし、支持部材３１の左右における上下方向の中心に設けてもよい。回転機機構は、例えば、軸部３２１と枠部１３ｆとの間に設けることが挙げられる。回転機構は、例えば、サーボモータなどを利用できる。
【００４８】
（温度センサ）
温度センサ４０は、第１空間１１と第２空間１２の各々の温度を測定する（図１，図３，図５）。温度センサ４０は、例えば、主要空調機器２１と補助空調機器２２の各々に備わることが挙げられる。この温度センサ４０の測定結果は、ファン制御部５２や第１温度判定部５３に送信される。この送信は、温度センサ４０とファン制御部５２や第１温度判定部５３とをケーブルで直接接続する有線通信でもよいし、ケーブルで直接接続しない無線通信でもよい。
【００４９】
（タイマー）
屋内空調システム１Ａは、ファン制御部５２の制御の開始時期を設定するタイマー５１を備えることが好ましい（図１）。そうすれば、所望の時期にファン制御部５２の制御を行わせることができるため、ファン３０及び主要空調機器２１の電力消費を抑制できて第２空間１２の空調を省エネルギーで効率よく行える。タイマー５１は、例えば、利用者の習慣から第２空間の利用時期（時刻）が決まっている場合などに設定しておくことが挙げられる。タイマー５１は、後述する空調制御部５０を利用できる。
【００５０】
（人感センサ）
屋内空調システム１Ａは、第２空間１２の人の存在を検知する人感センサ４１を備えることが好ましい（図１，図３，図５の二点鎖線）。この検知結果は、ファン制御部５２の制御開始の時期設定に利用される。この人感センサ４１は、市販の人感センサ４１を利用できる。この人感センサ４１の検知結果のファン制御部５２への送信は、温度センサ４０と同様、有線通信でもよいし無線通信でもよい。
【００５１】
（ファン制御部）
ファン制御部５２は、第１空間１１及び第２空間１２の測定温度Ｔ１,Ｔ２と第２空間１２の設定温度Ｔｓ２とが所定の大小関係を満たすとき第２空間１２の温度Ｔ２を設定温度Ｔｓ２になるようにファン３０の動作を制御する（図１）。設定温度Ｔｓ２になるように制御するとは、設定温度Ｔｓ２にすることは勿論、その前後の僅かな許容範囲に収めることを含む。設定温度Ｔｓ２は、第２空間１２の利用者により適宜設定される。ファン制御部５２は、第１空間１１及び第２空間１２の測定温度Ｔ１,Ｔ２と第２空間１２の設定温度Ｔｓ２とが所定の大小関係を満たさないとき、ファン３０を停止させる。
【００５２】
ファン制御部５２は、ファン３０の動作と停止に加えて、ファン３０の回転数（回転速度）を可変にしてもよい。例えば、インバータで交流モーターの周波数を変えることで、交流モーターの回転数を変えてファン３０の回転数を可変にすることができる。
【００５３】
ファン制御部５２は、タイマー５１や人感センサ４１を設ける場合、タイマー５１の設定時期や人感センサ４１の検知結果に応じて制御することができる。そうすれば、所望の時期や第２空間１２の人の有無に応じてファン３０の動作と停止とを行える。そのため、ファン３０及び主要空調機器２１の電力消費を抑制できるので、第２空間１２の空調を省エネルギーで効率よく行える。
【００５４】
（第１温度判定部）
第１温度判定部５３は、ファン３０の動作により所定時間内に第２空間１２の温度Ｔ２が第２空間１２の設定温度Ｔｓ２に到達可能か否かを判定する（図１）。この到達可能か否かの判定は、例えば、第２空間１２の温度Ｔ２と第２空間１２の設定温度Ｔｓ２との温度差ΔＴ（Ｔｓ２−Ｔ２の絶対値）や、第２空間１２の温度変化率を求めることで行える。温度変化率は、単位時間当たりの温度変化量であり、特定時間の測定温度の推移から求められる。具体的には、到達可能とは、上記温度差ΔＴが第１設定値以下、又は上記温度変化率が第１設定値以上のときとし、到達不能とは、上記温度差ΔＴが第１設定値超、又は上記温度変化率が第１設定値未満のときとすることが挙げられる。第１設定値とは、ファン３０の動作に加えて、補助空調機器２２の動作が必要か否かを判定する閾値であり、適宜選択できる。
【００５５】
温度差ΔＴや温度変化率は、例えば、上記所定時間の１／２以下の間隔で演算することが挙げられる。例えば、上記所定時間を１０分とし、判定を温度変化率で行う場合、最初の１分間の変化量を求め、２分目で２分間の変化量を求め、３分目で３分間の変化量を求め、ファン３０を動作し始めてから３分目に求めた変化量から、１０分後の到達時間を演算して、到達可能か否かを判定してもよい。また、０〜１分までの変化量、１〜２分までの変化量、２〜３分までの変化量を求め、例えば、２〜３分までの変化量で１０分後の到達温度を演算して、到達可能か否かを判定してもよい。到達可能か否かの判定は、温度差ΔＴと温度変化率の両方を求めることで行ってもよい。
【００５６】
（補助空調制御部）
補助空調制御部５４は、第１温度判定部５３が到達不能と判定したとき、第２空間１２の温度Ｔ２と第２空間１２の設定温度Ｔｓ２との差を小さくするように補助空調機器２２を動作させる。即ち、補助空調制御部５４は、第１温度判定部５３が到達可能と判定したとき、補助空調機器２２を停止させる。
【００５７】
タイマー５１、ファン制御部５２、第１温度判定部５３、補助空調制御部５４は、一つの空調制御部５０により纏めて制御することが挙げられる。
【００５８】
（用途）
屋内空調システム１Ａは、家屋の空調システムに利用される。屋内空調システム１Ａは、特に、寒冷地や温暖地に建てられる家屋の空調システムに利用される。
【００５９】
［空調制御手順］
図６、図７に示すフローチャートに基づいて、実施形態１に係る屋内空調システム１Ａによる第２空間１２の空調の制御手順Ｉ，ＩＩをそれぞれ説明する。以下の説明は、主要空調機器２１は温風を送るエアコンとし、補助空調機器２２はヒータとして、図１に示す家屋１０の第２空間１２を暖房する場合を例に行う。ファン３０の送風方向は、第１空間１１から第２空間１２に向かう方向とする。フローチャート中のｏｎとｏｆｆとはそれぞれ動作と停止とを示す。これらの点は、後述する実施形態２と実施形態３でも同様である。この制御の開始は、屋内空調システム１Ａがタイマー５１や人感センサ４１を備える場合、タイマー５１で設定した時期になったときや、人感センサ４１により人を検知したときに行うことが挙げられる。
【００６０】
（制御手順Ｉ）
利用者が設定した第２空間１２の設定温度Ｔｓ２と、温度センサ４０により各空間１１，１２の温度Ｔ１，Ｔ２を測定して第１空間１１の測定温度Ｔ１及び第２空間１２の測定温度Ｔ２とを取得する（ステップＳ１１）。
【００６１】
ステップＳ１１で取得した第１空間１１の測定温度Ｔ１と、第２空間１２の測定温度Ｔ２と、第２空間１２の設定温度Ｔｓ２とが所定の大小関係を満たすか否かを判定する。まず、第２空間１２の測定温度Ｔ２が第２空間１２の設定温度Ｔｓ２未満を満たす否かを判定する（ステップＳ１２）。
【００６２】
ステップＳ１２の条件を満たす場合、第２空間１２の設定温度Ｔｓ２が第１空間１１の測定温度Ｔ１以下を満たすか否かを判定する（ステップＳ１３）。
【００６３】
ステップＳ１３の条件を満たす場合、即ち、Ｔ２＜Ｔｓ２≦Ｔ１を満たす場合、ファン制御部５２によりファン３０をｏｎする（ステップＳ１４）。ファン３０の動作により、主要空調機器２１の温風と第１空間１１の空気とが第１空間１１から第２空間１２に送られて第２空間１２を暖める。
【００６４】
続いて、第１温度判定部５３が、ファン３０の動作により所定時間内に第２空間１２の温度Ｔ２が設定温度Ｔｓ２に到達可能か否かを判定する。到達可能か否かの判定は、ステップＳ１１で取得した第２空間１２の設定温度Ｔｓ２と第２空間１２の測定温度Ｔ２とから演算した両者の温度差ΔＴ（Ｔｓ２−Ｔ２の絶対値）が、予め設定した設定値Ａ以下か超かで行う。即ち、温度差ΔＴが設定値Ａ以下のとき到達可能とし、温度差ΔＴが設定値Ａ超のとき到達不能とする。予め記憶させていた設定値Ａを呼び出し、温度差ΔＴが設定値Ａ超を満たすか否かを判定する（ステップＳ１５）。
【００６５】
ステップＳ１５の条件を満たす場合、即ち、第１温度判定部５３が到達不能と判定した場合、補助空調制御部５４が補助空調機器２２をｏｎする（ステップＳ１６）。補助空調機器２２の動作により、第２空間１２を暖めて温度差ΔＴを小さくする。そして、この制御を終了する。
【００６６】
上記ステップＳ１２の条件を満たさない場合、即ち、Ｔｓ２≦Ｔ２を満たす場合、ファン制御部５２はファン３０をｏｆｆする（ステップＳ１７）。続いて、補助空調制御部５４は補助空調機器２２をｏｆｆする（ステップＳ１８）。ステップＳ１７とステップＳ１８とは、同時に行ってもよい。そして、この制御を終了する。
【００６７】
上記ステップＳ１３の条件を満たさない場合、即ち、Ｔ２＜Ｔｓ２かつＴ１＜Ｔｓ２を満たす場合、上記ステップＳ１７と同じで、ファン３０をｏｆｆする（ステップＳ１９）。そして、上記ステップＳ１６を経て、この制御を終了する。
【００６８】
上記ステップＳ１５の条件を満たさない場合、即ち、ΔＴ≦Ａを満たして第１温度判定部５３が到達可能と判定した場合、上記ステップＳ１８を経て、この制御を終了する。
【００６９】
（制御手順ＩＩ）
ステップＳ２１〜ステップＳ２８は、制御手順ＩのステップＳ１１〜ステップＳ１８と同じである。
【００７０】
ステップＳ２３で、第２空間１２の設定温度Ｔｓ２が第１空間１１の測定温度Ｔ１以下を満たさない場合、即ち、Ｔ１＜Ｔｓ２を満たす場合、第２空間１２の測定温度Ｔ２が第１空間１１の測定温度Ｔ１未満を満たすか否かを判定する（ステップＳ２９）。
【００７１】
ステップＳ２９の条件を満たす場合、即ち、Ｔ２＜Ｔ１＜Ｔｓ２を満たす場合、ステップＳ２４と同じで、ファン３０をｏｎする（ステップＳ２１０）。そして、ステップＳ２６（補助空調機器２２をｏｎ）を経て、この制御を終了する。ステップＳ２１０とステップＳ２６とは、同時に行ってもよい。
【００７２】
ステップＳ２１０のとき、温度の関係はＴ２＜Ｔ１＜Ｔｓ２であるため、ファン３０をｏｎしても、第２空間１２の温度Ｔ２は第２空間１２の設定温度Ｔｓ２には達しない。しかし、ファン３０の動作により第２空間１２の温度Ｔ２を第１空間１１の温度Ｔ１にまで到達させることができる。そのため、ファン３０をｏｎしてステップＳ２６で補助空調機器２２をｏｎすることで、制御手順ＩのステップＳ１９後のようにファン３０をｏｎせず補助空調機器２２をｏｎした場合、即ち、第２空間１２を補助空調機器２２のみで暖める場合に比較して、補助空調機器２２の動作時間を短くし易く、省エネルギーで第２空間１２の温度Ｔ２を高め易い。
【００７３】
なお、ステップＳ２９の条件を満たす場合、ファン３０をｏｎするステップＳ２１０の前に、ΔＴα＝Ｔ１−Ｔ２とΔＴβ＝Ｔｓ２−Ｔ１の差が所定の関係を満たすか否かを判定してもよい。具体的には、ΔＴβ≦ΔＴαを満たすか否かを判定する。この条件を満たす場合、ステップＳ２１０を行ない、条件を満たさない場合、即ち、ΔＴα＜ΔＴβの場合、ステップＳ２１０を行わずに後述のステップＳ２１１を行うようにしてもよい。ΔＴβ≦ΔＴαを満たす場合は、ΔＴα＜ΔＴβを満たす場合に比べて、第１空間１１の温度Ｔ１と第２空間１２の設定温度Ｔｓ２との差が小さい。そのため、ΔＴβ≦ΔＴαの場合に補助空調機器２２をｏｎすれば、ΔＴα＜ΔＴβの場合に補助空調機器２２をｏｎする場合に比較して、補助空調機器２２の動作時間を短くし易く、省エネルギーで第２空間１２の温度を高め易い。
【００７４】
ステップＳ２９の条件を満たさない場合、即ち、Ｔ１≦Ｔ２＜Ｔｓ２を満たす場合、ステップＳ２７と同じで、ファン３０をｏｆｆする（ステップＳ２１１）。そして、ステップＳ２６を経て、この制御を終了する。ステップＳ２１１とステップＳ２６とは同時に行ってもよい。
【００７５】
制御手順ＩのステップＳ１１〜ステップＳ１９や制御手順ＩＩのステップＳ２１〜ステップＳ２１１は、タイマー５１により、所定時間毎に繰り返し行う。勿論、ステップＳ１１〜ステップＳ１９やステップＳ２１〜ステップＳ２１１は、制御を終了せず、連続的に繰り返し行ってもよい。
【００７６】
以上の説明では、第２空間１２を暖房する場合を例に説明したが、第２空間１２を冷房する場合、制御手順Ｉでは、ステップＳ１２とステップＳ１３の不等号の向きを逆転させる点を除き暖房時と同じであり、制御手順ＩＩでは、ステップＳ２２とステップＳ２３とステップＳ２９の不等号の向きを逆転させる点を除き、暖房時と同じである。
【００７７】
〔作用効果〕
実施形態１の屋内空調システム１Ａによれば、ファン３０による第１空間１１の空気の利用のみでは第２空間１２の空調に時間がかかるなどの特定の場合に、第１空間１１の空気の利用に加えて補助空調機器２２の動作で第２空間１２を空調できる。それにより、第２空間１２の温度Ｔ２を所望の温度に素早くかつ細かく調整できるため、家屋１０の建てられる環境が寒冷地や温暖地などであっても第２空間１２を空調できる。そして、補助空調機器２２の使用を特定の場合に制約していることで、電力消費を少なくし易い。従って、省エネルギーで効率的に第２空間１２を空調できる。
【００７８】
〔実施形態２〕
［屋内空調システム］
図８を参照して、実施形態２に係る屋内空調システム１Ｂを説明する。実施形態２に係る屋内空調システム１Ｂは、ドア１４の開閉センサ４２を備える点が実施形態１の屋内空調システム１Ａと相違する。以下、相違点を中心に説明し、同様の構成及び同様の効果については説明を省略する。この点は、以下の実施形態３でも同様である。図８では、図１などと同様、空気の流れを点線矢印と破線矢印で模式的に示している。
【００７９】
（開閉センサ）
開閉センサ４２は、ドア１４の開きを検知する。この検知結果は、ファン制御部５２に利用される。開閉センサ４２には、市販の開閉センサ４２を利用できる。この開閉センサ４２の検知結果のファン制御部５２への送信は、上述の温度センサ４０と同様、有線通信でもよいし無線通信でもよい。
【００８０】
（ファン制御部）
ファン制御部５２は、ドア１４が開いたことを開閉センサ４２が検知したとき、代表的にはファン３０を停止させる。このとき、ファン制御部５２は、ファン３０を停止させるのではなく、ファン３０の回転数をドア１４が閉まっているときのファン３０の回転数に比較して低下させてもよい。ファン制御部５２は、ファン３０の停止とファン３０の回転数の低下とを切り替えたりすることもできる。ファン制御部５２は、ドア１４が閉じたことを開閉センサ４２が検知したときは、第１空間１１及び第２空間１２の測定温度Ｔ１，Ｔ２と第２空間１２の設定温度Ｔｓ２とが所定の大小関係を満たすか否かによって、ファン３０を動作させたり、ファン３０を停止したりする。
【００８１】
［空調制御手順］
図９に示すフローチャートに基づいて、実施形態２に係る屋内空調システム１Ｂによる第２空間１２の空調の制御手順を説明する。以下の説明では、実施形態１と同様、第２空間１２を暖房する場合を例に説明する。
【００８２】
開閉センサ４２により、ドア１４が開いたか否かを判定する（ステップＳ３１）。開閉センサ４２がドア１４の開きを検知した場合、ファン制御部５２はファン３０をｏｆｆし、補助空調制御部５４は補助制御部をｏｆｆする（ステップＳ３２）。そして、この制御を終了する。
【００８３】
上記ステップＳ３１の条件を満たさない場合、即ち、開閉センサ４２がドア１４の閉じを検知した場合、ステップＳ３３〜ステップＳ３１１を経る。このステップＳ３３〜ステップＳ３１１はそれぞれ、実施形態１の制御手順ＩにおけるステップＳ１１〜ステップＳ１９と同じステップである。
【００８４】
ステップＳ３１〜ステップＳ３１１は、タイマー５１により、所定時間毎に繰り返し行う。勿論、ステップＳ３１〜ステップＳ３１１は、制御を終了せず、連続的に繰り返し行ってもよい。
【００８５】
第２空間１２を冷房する場合、ステップＳ３４とステップＳ３５の不等号の向きを逆転させる点を除き、暖房時と同じである。
【００８６】
なお、ステップＳ３１の条件を満たさない場合、ステップＳ３３〜ステップＳ３１１ではなく、図７に示す実施形態１の制御手順ＩＩのステップＳ２１〜ステップＳ２１１と同じステップを経てもよい。
【００８７】
〔作用効果〕
実施形態２の屋内空調システム１Ｂによれば、ドア１４の開閉状況に応じてファン３０の動作と停止とを細かく制御できるため、ファン３０及び主要空調機器２１の電力消費を抑制しつつ第２空間１２を空調できる。
【００８８】
〔実施形態３〕
［屋内空調システム］
図１０を参照して、実施形態３に係る屋内空調システム１Ｃを説明する。実施形態３に係る屋内空調システム１Ｃは、統括制御部５と第２温度判定部５５とを備える点が実施形態１の屋内空調システム１Ａと相違する。図１０では、図１などと同様、空気の流れを点線矢印と破線矢印で模式的に示している。
【００８９】
（統括制御部）
統括制御部５は、第１温度判定部５３によりファン３０の動作で所定時間内に第２空間１２の温度Ｔ２が第２空間１２の設定温度Ｔｓ２に到達不能と判定したとき、第２空間１２の温度Ｔ２と第２空間１２の設定温度Ｔｓ２との温度差ΔＴを小さくするように主要空調機器２１の設定を調整する。この設定の調整は、例えば、主要空調機器２１の設定温度を変更したり、風量を変更したりすることが挙げられる。統括制御部５は、主要空調機器２１の設定を調整するときには、補助空調制御部５４により補助空調機器２２を動作させない。このように、第２空間の空調を極力主要空調機器２１で行ない、補助空調機器２２の運転を抑える方が省エネルギーに効果的である。主要空調機器２１を動作させても、定常運転に近い状態で運転を継続する方が補助空調機器２２を頻繁に利用する場合よりもトータルの電力消費が小さいからである。
【００９０】
到達可能か否かの判定は、実施形態１の第１温度判定部５３と同様、第２空間１２の温度Ｔ２と第２空間１２の設定温度Ｔｓ２との温度差ΔＴや、第２空間１２の温度変化率を求めることで行える。即ち、到達可能とは、上記温度差ΔＴが第１設定値以下、又は上記温度変化率が第１設定値以上のときとし、到達不能とは、上記温度差ΔＴが第１設定値超、又は上記温度変化率が第１設定値未満のときとすることが挙げられる。即ち、第１設定値とは、ファン３０の動作に加えて、主要空調機器２１の設定の変更が必要か否かを判定する閾値であり、適宜選択できる。統括制御部５は、第１温度判定部５３が到達可能と判定したとき、主要空調機器２１の設定を調整せず、そのままとする。
【００９１】
統括制御部５は、後述の第２温度判定部５５が到達不能と判定したとき、補助空調機器２２を動作させる。このとき、統括制御部５により補助空調制御部５４に指令を出して補助空調制御部５４により補助空調機器２２を動作させてもよいし、統括制御部５により補助空調制御部５４へ指令せずに直接補助空調機器２２を動作させてもよい。
【００９２】
統括制御部５は、更に、タイマー５１とファン制御部５２と第１温度判定部５３と補助空調制御部５４の少なくとも一つを備えることができる。統括制御部５は、一般家庭などに設けられるＨＥＭＳ（Ｈｏｍｅ  Ｅｎｅｒｇｙ  Ｍａｎａｇｅｍｅｎｔ  Ｓｙｓｔｅｍ）などの電気製品の電気使用状態を管理する管理システムが利用できる。
【００９３】
（第２温度判定部）
第２温度判定部５５は、主要空調機器２１の動作により所定時間内に第２空間１２の温度Ｔ２が第２空間１２の設定温度Ｔｓ２に到達可能か否かを判定する。この所定時間内に設定温度に到達可能か否かの判定は、上述の第１温度判定部５３のように、第２空間１２の温度Ｔ２と第２空間１２の設定温度Ｔｓ２との温度差ΔＴや、第２空間１２の温度変化率を求めることで行える。到達可能と到達不能の基準は、上述の第１温度判定部５３と同様である。即ち、到達可能とは、上記温度差ΔＴが第２設定値以下、又は上記温度変化率が第２設定値以上のときとし、到達不能とは、上記温度差ΔＴが第２設定値超、又は上記温度変化率が第２設定値未満のときとすることが挙げられる。第２設定値とは、ファン３０の動作と主要空調機器２１の設定変更に加えて、補助空調機器２２の動作が必要か否かを判定する閾値であり、第１設定値よりも大きい値や小さい値で適宜選択できる。第２設定値を第１設定値よりも大きい値とすれば、第２空間１２を素早く温め易く、第２設定値を第１設定値よりも小さい値とすれば、第２空間１２の空調を省エネルギーで行ない易い。第２温度判定部５５は、統括制御部５（ＨＥＭＳ）が利用できる。
【００９４】
［空調制御手順］
図１１、図１２に示すフローチャートに基づいて、実施形態３に係る屋内空調システム１Ｃによる第２空間１２の空調の制御手順を説明する。
【００９５】
図１１に示すステップＳ４１〜ステップＳ４３は、図６に示す実施形態１の制御手順ＩにおけるステップＳ１１〜ステップＳ１３と同じである。
【００９６】
ステップＳ４３で第２空間１２の設定温度Ｔｓ２が第１空間１１の測定温度Ｔ１以下を満たす場合、即ち、Ｔ２＜Ｔｓ２≦Ｔ１を満たす場合、ファン３０の動作に加えて、主要空調機器２１と補助空調機器２２とを制御する（ステップＳ４４）。
【００９７】
ステップＳ４４の具体的制御を図１２に基づいて説明する。ファン制御部５２によりファン３０をｏｎする（ステップＳ４４１）。ファン３０の動作により、主要空調機器２１の温風が第１空間１１から第２空間１２に送られて第２空間１２を暖める。
【００９８】
続いて、第１温度判定部５３により、ファン３０の動作により所定時間内に第２空間１２の温度Ｔ２が設定温度Ｔｓ２に到達可能か否かを判定する。ここでは、到達可能か否かの判定は、実施形態１の制御手順Ｉ、ＩＩと同様、ステップＳ４１で取得した第２空間１２の設定温度Ｔｓ２と第２空間１２の測定温度Ｔ２とから演算した両者の温度差ΔＴ（Ｔｓ２−Ｔ２の絶対値）が、予め設定した設定値ａ以下か超かで行う。即ち、温度差ΔＴが第１設定値ａ以下のとき到達可能とし、温度差ΔＴが設定値ａ超のとき到達不能とする。予め記憶させていた設定値ａを呼び出し、温度差ΔＴが設定値ａ超を満たすか否かを判定する（ステップＳ４４２）。
【００９９】
ステップＳ４４２の条件を満たす場合、即ち、第１温度判定部５３が到達不能と判定した場合、統括制御部５が主要空調機器２１の設定を変更する（ステップＳ４４３）。それにより、主要空調機器２１の温風の温度が高くなったり風量が増加したりする。その温風は、ファン３０により第１空間１１から第２空間１２へ送られるため、第２空間１２の温度を更に高め易くて温度差ΔＴを小さくし易い。
【０１００】
続いて、第２温度判定部５５により、主要空調機器２１の動作により所定時間内に第２空間１２の温度Ｔ２が第２空間の設定温度Ｔｓ２に到達可能か否かを判定する。ここでは、温度差ΔＴが、予め設定した設定値ｂ以下か超かで行う。即ち、温度差ΔＴが第２設定値ｂ以下のとき到達可能とし、温度差ΔＴが設定値ｂ超のとき到達不能とする。予め記憶させていた設定値ｂを呼び出し、温度差ΔＴが設定値ｂ超を満たすか否かを判定する（ステップＳ４４４）。
【０１０１】
ステップＳ４４４の条件を満たす場合、即ち、第２温度判定部５５が到達不能と判定した場合、統括制御部５が補助空調機器２２をｏｎする（ステップＳ４４５）。補助空調機器２２の動作により、第２空間１２を暖め、温度差ΔＴを小さくする。そして、制御を終了する。
【０１０２】
上記ステップＳ４４２の条件を満たさない場合、即ち、ΔＴ≦ａを満たして第１温度判定部５３が到達可能と判定した場合、統括制御部５は主要空調機器２１の設定を変更せずそのままとする（ステップＳ４４６）。更に、統括制御部５は、補助空調機器２２をｏｆｆする（ステップＳ４４７）。ステップＳ４４６とステップＳ４４７とは同時に行ってもよい。
【０１０３】
上記ステップＳ４４４の条件を満たさない場合、即ち、ａ＜ΔＴ≦ｂを満たして第２温度判定部５５が到達可能と判定した場合、上記ステップＳ４４７を経て、この制御を終了する。
【０１０４】
上記ステップＳ４２（図１１）の条件を満たさない場合、即ち、Ｔｓ２≦Ｔ２を満たす場合、ファン制御部５２はファン３０をｏｆｆする（ステップＳ４５）。続いて、上記ステップＳ４４６と同じで、主要空調機器２１の設定を変更せずそのままとする（ステップＳ４６）。続いて、上記ステップＳ４４７と同じで、補助空調機器２２をｏｆｆする（ステップＳ４７）。ステップＳ４５〜ステップＳ４７は同時に行ってもよい。そして、この制御を終了する。
【０１０５】
上記ステップＳ４３の条件を満たさない場合、即ち、Ｔ２＜Ｔｓ２かつＴ１＜Ｔｓ２を満たす場合、上記ステップＳ４５と同じで、ファン３０をｏｆｆする（ステップＳ４８）。続いて、ステップＳ４４３と同じで、主要空調機器２１の設定を変更する（ステップＳ４９）。ステップＳ４８とステップＳ４９とは同時に行ってもよい。
【０１０６】
続いて、ステップＳ４３と同様、第２空間１２の設定温度Ｔｓ２が第１空間１１の測定温度Ｔ１以下を満たすか否かを判定する（ステップＳ４１０）。上記ステップＳ４１０の条件を満たす場合、上述のステップＳ４４を経て、この制御を終了する。上記ステップＳ４１０の条件を満たさない場合、即ち、Ｔ１＜Ｔｓ２を満たす場合、上記ステップＳ４４５と同じで、補助空調機器２２をｏｎする（ステップＳ４１１）。そして、制御を終了する。
【０１０７】
なお、ステップＳ４３の条件を満たさない場合には、即ち、Ｔ２＜Ｔｓ２かつＴ１＜Ｔｓ２を満たす場合、ステップＳ４８の前に以下のステップを経てもよい。実施形態１の制御手順ＩＩのステップＳ２９と同じで、第２空間１２の測定温度Ｔ２が第１空間１１の測定温度Ｔ１未満を満たすか否かを判定する。この条件を満たす場合、即ち、Ｔ２＜Ｔ１＜Ｔｓ２を満たす場合、ファン３０をｏｎする。そして、ステップＳ４１１を経て、制御を終了する。一方、上記条件を満たさない場合、即ち、Ｔ１≦Ｔ２＜Ｔｓ２を満たす場合、ステップＳ４８〜ステップＳ４１１を経て、制御を終了する。また、ステップＳ４３の条件を満たさない場合には、スッテプＳ４８〜ステップＳ４１１を経ずに制御を終了してもよい。実施形態２と同様に、人感センサ４１を備える場合には、ステップＳ４１の前に、実施形態２のステップＳ３１とステップＳ３２と同様のステップを備える。
【０１０８】
〔作用効果〕
実施形態３の屋内空調システム１Ｃによれば、実施形態１の屋内空調システム１Ａに比較して、第２空間１２の空調をより一層省エネルギーで効率的に行える。ファン３０による第１空間１１の空気の利用のみでは第２空間１２の空調に時間がかかるなどの特定の場合に、統括制御部５により補助空調機器２２を動作させる前に主要空調機器２１の設定を調整して補助空調機器２２の使用を更に制約することで、電力消費を少なくし易いからである。
【０１０９】
《付記》
以上説明した本発明の実施形態に関連して、更に以下の付記を開示する。
【０１１０】
［付記１］
家屋の第１空間に設けられ、前記第１空間を空調する主要空調機器と、
前記第１空間と前記第１空間に隣り合う第２空間との間を仕切る仕切部に設けられ、前記第１空間及び前記第２空間の一方から他方に送風を行うファンを有するファンユニットと、
前記第２空間の温度を測定する温度センサと、
前記第２空間の測定温度と前記第２空間の設定温度とが所定の大小関係を満たす場合、前記第２空間の温度を前記設定温度となるように前記ファンの動作を制御するファン制御部と、
前記ファン制御部の制御の開始時期を設定するタイマーとを備える屋内空調システム。
【０１１１】
上記付記１の屋内空調システムによれば、タイマーを有することで所望の時間にファンの動作と停止とを行える。そのため、第２空間の利用状況に応じてファンの動作と停止とを細かく制御できて、ファン及び主要空調機器の電力消費を抑制しつつ第２空間を空調できる。
【０１１２】
［付記２］
家屋の第１空間に設けられ、前記第１空間を空調する主要空調機器と、
前記第１空間と前記第１空間に隣り合う第２空間との間を仕切る仕切部に設けられ、前記第１空間及び前記第２空間の一方から他方に送風を行うファンを有するファンユニットと、
前記第２空間の温度を測定する温度センサと、
前記第２空間の測定温度と前記第２空間の設定温度とが所定の大小関係を満たす場合、前記第２空間の温度を前記設定温度となるように前記ファンの動作を制御するファン制御部と、
前記ファンの動作により所定時間内に前記第２空間の温度が前記設定温度に到達可能か否かを判定する第３温度判定部と、
前記第３温度判定部が到達不能と判定したとき、前記第２空間の温度と前記設定温度との差を小さくするように前記主要空調機器の設定を調整する統括制御部とを備える屋内空調システム。
【０１１３】
上記付記２の屋内空調システムによれば、ファンを備えることで、主要空調機器が設けられる第１空間の空気を利用して第２空間を空調できる。また、主要空調機器の現在の設定ではファンによって第１空間の空気を利用しても所定時間内に第２空間を空調できない場合には、統括制御部により自動で主要空調機器の設定を調整できるため、第２空間を素早く空調できる。
【０１１４】
［参考例１］
参考例１の屋内空調システムは、上記付記１の一例であり、第２空間の補助空調機器と補助空調制御部とを備えない点が実施形態１に係る屋内空調システムと主として相違する。即ち、この例の屋内空調システムは、実施形態１と同様の主要空調機器とファンユニットと温度センサとファン制御部とタイマーとを備える。第２空間の温度を測定する温度センサの設置箇所は、第２空間内であれば適宜選択できる。
【０１１５】
図１３に示すフローチャートに基づいて、参考例１に係る屋内空調システムによる第２空間の空調の制御手順を説明する。ステップＳ５１〜ステップＳ５５はそれぞれ、図６に示す実施形態１の制御手順ＩのステップＳ１１〜ステップＳ１４、ステップＳ１７と同じである。この制御は、ステップＳ５４の後と、ステップＳ５５の後と、に終了する。
【０１１６】
［参考例２］
参考例２の屋内空調システムは、上記付記２の一例であり、第２空間の補助空調機器と補助空調制御部とを備えない点が実施形態３に係る屋内空調システムと主として相違する。即ち、この例の屋内空調システムは、実施形態３と同様の主要空調機器とファンユニットと温度センサとファン制御部とに加えて、第３温度判定部と統括制御部とを備える。第２空間の温度を測定する温度センサの設置箇所は、参考例１と同様、第２空間内であれば適宜選択できる。第３温度判定部は、ファンの動作により所定時間内に前記第２空間の温度が前記設定温度に到達可能か否かを判定する。統括制御部は、第３温度判定部が到達不能と判定したとき、第２空間の温度と第２空間の設定温度との差を小さくするように主要空調機器の設定を調整する。
【０１１７】
図１４、図１５に示すフローチャートに基づいて、参考例２に係る屋内空調システムによる第２空間の空調の制御手順を説明する。図１４に示すステップＳ６１〜ステップＳ６３は、図１１に示す実施形態３のステップＳ４１〜ステップＳ４３と同じであり、ステップＳ６５とステップＳ６６とは、ステップＳ４５とステップＳ４６と同じであり、ステップＳ６７〜ステップＳ６９は、ステップＳ４８〜ステップＳ４１０と同じである。ステップＳ６４の具体的制御を図１５に基づいて説明する。図１５に示すステップＳ６４１〜ステップＳ６４４は、図１２に示す実施形態３のステップＳ４４１〜ステップＳ４４３，ステップＳ４４６と同じである。ステップＳ６４１の後に呼び出す予め設定した設定値αは、ファンの動作に加えて主要空調機器の動作が必要か否かを判定する閾値であり、適宜選択できる。この制御は、ステップＳ６４の後と、ステップＳ６９の条件を満たさない場合と、ステップＳ６６の後と、に終了する。
【０１１８】
なお、本発明はこれらの例示に限定されるものではなく、特許請求の範囲によって示され、特許請求の範囲と均等の意味および範囲内でのすべての変更が含まれることが意図される。
【符号の説明】
【０１１９】
１Ａ、１Ｂ、１Ｃ  屋内空調システム
２１  主要空調機器  ２２  補助空調機器
３  ファンユニット
３０  ファン  ３１  支持部材  ３２  反転機構  ３２１  軸部
４０  温度センサ  ４１  人感センサ  ４２  開閉センサ
５  統括制御部  ５０  空調制御部
５１  タイマー  ５２  ファン制御部  ５３  第１温度判定部
５４  補助空調制御部  ５５  第２温度判定部
１０  家屋
１１  第１空間  １２  第２空間  １３  仕切部  １３ｆ  枠部
１４  ドア  １５  換気口
【図１】
2017194242.tif 000003
【図２】
2017194242.tif 000004
【図３】
2017194242.tif 000005
【図４】
2017194242.tif 000006
【図５】
2017194242.tif 000007
【図６】
2017194242.tif 000008
【図７】
2017194242.tif 000009
【図８】
2017194242.tif 000010
【図９】
2017194242.tif 000011
【図１０】
2017194242.tif 000012
【図１１】
2017194242.tif 000013
【図１２】
2017194242.tif 000014
【図１３】
2017194242.tif 000015
【図１４】
2017194242.tif 000016
【図１５】
2017194242.tif 000017